(57)【要約】【課題】光スイッチを内蔵しない波長選択スイッチを用いた光クロスコネクト装置を光ネットワークに適用することが可能な光ネットワークシステムを提供する。【解決手段】本発明は、光スイッチを内蔵しない入力側の波長スイッチからなる波長選択スイッチ群と出力側の波長スイッチからなる波長選択スイッチ群の間に、光スイッチ群を設けた構成の光クロスコネクト装置を、スター型、リング型、メッシュ型のいずれかの形態で配置し、多重化された端末装置からの波長多重光について、管理装置からの波長編集信号により波長を選択し、方路切替信号に基づいて波長の方路を切り替えて送信することにより通信を行う。【選択図】図１
2008259129.tif 000002
【特許請求の範囲】
【請求項１】
光クロスコネクト装置を用いたスター型の光ネットワークシステムであって、
波長光を入出力することにより通信を行う複数の端末装置と、
前記端末装置と接続され、該端末装置から入力された波長光を多重化する多重化装置と、
前記多重化装置から入力された波長多重信号光から特定の波長の信号を選択して取り出す波長選択スイッチを並列に複数配置した第１の波長選択スイッチ群と、該第１の波長選択スイッチ群と同様の構成を有する第２の波長選択スイッチ群と、該第１の波長選択スイッチ群と該第２の波長選択スイッチ群の間に複数配置される光スイッチ群からなる光クロスコネクト装置と、
記憶手段に格納されている光ネットワークのトポロジ情報及び波長群の情報を参照して、前記光クロスコネクト装置に対し、波長を選択するための波長選択信号及び方路を切り替えるための方路切替信号を出力し、前記端末装置との間で制御信号の送受信を行う管理装置と、
を有し、
前記光クロスコネクト装置を、スター型ネットワークのコア部分に配置したことを特徴とする光ネットワークシステム。
【請求項２】
光クロスコネクト装置を用いたスター型の光ネットワークシステムであって、
波長光を入出力することにより通信を行う複数の端末装置と、
前記端末装置を収容するネットワーク装置と、
前記端末装置から前記ネットワーク装置を介して入力された波長を多重化する多重化装置と、
前記多重化装置から入力された波長多重信号光から特定の波長の信号を選択して取り出す波長選択スイッチを並列に複数配置した第１の波長選択スイッチ群と、該第１の波長選択スイッチ群と同様の構成を有する第２の波長選択スイッチ群と、該第１の波長選択スイッチ群と該第２の波長選択スイッチ群の間に複数配置される光スイッチ群からなる光クロスコネクト装置と、
記憶手段に格納されている光ネットワークのトポロジ情報及び波長群の情報を参照して、前記光クロスコネクト装置に対し、波長を選択するための波長選択信号及び方路を切り替えるための方路切替信号を出力し、前記端末装置及び、前記ネットワーク装置との間で制御信号の送受信を行う管理装置と、
を有し、
前記光クロスコネクト装置を、スター型ネットワークのコア部分に配置したことを特徴とする光ネットワークシステム。
【請求項３】
光クロスコネクト装置を用いたリング型の光ネットワークシステムであって、
波長光を入出力することにより通信を行う複数の端末装置と、
前記端末装置と接続され、該端末装置から入力された波長光を多重化する多重化装置と、
前記多重化装置から入力された波長多重信号光から特定の波長の信号を選択して取り出す波長選択スイッチを並列に複数配置した第１の波長選択スイッチ群と、該第１の波長選択スイッチ群と同様の構成を有する第２の波長選択スイッチ群と、該第１の波長選択スイッチ群と該第２の波長選択スイッチ群の間に複数配置される光スイッチ群からなる、複数の光クロスコネクト装置と、
記憶手段に格納されている光ネットワークのトポロジ情報及び波長群の情報を参照して、前記光クロスコネクト装置に対し、波長を選択するための波長選択信号及び方路を切り替えるための方路切替信号を出力し、前記端末装置との間で制御信号の送受信を行う管理装置と、
を有し、
前記複数の光クロスコネクト装置を、リング型ネットワークに配置したことを特徴とする光ネットワークシステム。
【請求項４】
光クロスコネクト装置を用いたリング型の光ネットワークシステムであって、
波長光を入出力することにより通信を行う複数の端末装置と、
前記端末装置を収容するネットワーク装置と、
前記端末装置から前記ネットワーク装置を介して入力された波長を多重化する多重化装置と、
前記多重化装置から入力された波長多重信号光から特定の波長の信号を選択して取り出す波長選択スイッチを並列に複数配置した第１の波長選択スイッチ群と、該第１の波長選択スイッチ群と同様の構成を有する第２の波長選択スイッチ群と、該第１の波長選択スイッチ群と該第２の波長選択スイッチ群の間に複数配置される光スイッチ群からなる複数の光クロスコネクト装置と、
記憶手段に格納されている光ネットワークのトポロジ情報及び波長群の情報を参照して、前記光クロスコネクト装置に対し、波長を選択するための波長選択信号及び方路を切り替えるための方路切替信号を出力し、前記端末装置及び、前記ネットワーク装置との間で制御信号の送受信を行う管理装置と、
を有し、
前記複数の光クロスコネクト装置を、リング型ネットワークに配置したことを特徴とする光ネットワークシステム。
【請求項５】
光クロスコネクト装置を用いたメッシュ型の光ネットワークシステムであって、
波長光を入出力することにより通信を行う複数の端末装置と、
前記端末装置と接続され、該端末装置から入力された波長光を多重化する多重化装置と、
前記多重化装置から入力された波長多重信号光から特定の波長の信号を選択して取り出す波長選択スイッチを並列に複数配置した第１の波長選択スイッチ群と、該第１の波長選択スイッチ群と同様の構成を有する第２の波長選択スイッチ群と、該第１の波長選択スイッチ群と該第２の波長選択スイッチ群の間に複数配置される光スイッチ群からなる複数の光クロスコネクト装置と、
記憶手段に格納されている光ネットワークのトポロジ情報及び波長群の情報を参照して、前記光クロスコネクト装置に対し、波長を選択するための波長選択信号及び方路を切り替えるための方路切替信号を出力し、前記端末装置との間で制御信号の送受信を行う管理装置と、
を有し、
前記複数の光クロスコネクト装置を、メッシュ型ネットワークに配置したことを特徴とする光ネットワークシステム。
【請求項６】
光クロスコネクト装置を用いたメッシュ型の光ネットワークシステムであって、
波長光を入出力することにより通信を行う複数の端末装置と、
前記端末装置を収容するネットワーク装置と、
前記端末装置から前記ネットワーク装置を介して入力された波長を多重化する多重化装置と、
前記多重化装置から入力された波長多重信号光から特定の波長の信号を選択して取り出す波長選択スイッチを並列に複数配置した第１の波長選択スイッチ群と、該第１の波長選択スイッチ群と同様の構成を有する第２の波長選択スイッチ群と、該第１の波長選択スイッチ群と該第２の波長選択スイッチ群の間に複数配置される光スイッチ群からなる複数の光クロスコネクト装置と、
記憶手段に格納されている光ネットワークのトポロジ情報及び波長群の情報を参照して、前記光クロスコネクト装置に対し、波長を選択するための波長選択信号及び方路を切り替えるための方路切替信号を出力し、前記端末装置及び、前記ネットワーク装置との間で制御信号の送受信を行う管理装置と、
を有し、
前記複数の光クロスコネクト装置を、メッシュ型ネットワークに配置されたことを特徴とする光ネットワークシステム。
【請求項７】
前記光クロスコネクト装置の前記第１の波長選択スイッチ群及び前記第２の波長選択スイッチ群は、
入力ポートから入力された波長多重信号光を波長に基づいてマッピングし、Ｎ個の出力ポートから出力する分波手段と、
前記分波手段から出力されたマッピングされた複数の波長光が複数の入力ポートから入力されると、該波長光を空間的に再結合して出力ポートから出力する複数の合波手段と、
を有する波長選択スイッチからなる
請求項１乃至６記載の光ネットワークシステム。
【請求項８】
前記光クロスコネクト装置の前記第１の波長選択スイッチ群及び前記第２の波長選択スイッチ群は、
入力ポートから入力された波長多重信号光の波長帯域毎に分割し、出力ポートから出力する複数の帯域分割フィルタを有し、
前記帯域分割フィルタは、波長帯域毎に分割された１つの波長光は第１の出力ポートからそのまま外部に出力し、それ以外の波長光は次段の帯域分割フィルタに出力し、
最後段の帯域分割フィルタは、波長帯域毎に分割された波長光をそのまま外部に出力する
波長選択スイッチからなる
請求項１乃至６記載の光ネットワークシステム。
【請求項９】
前記光クロスコネクト装置の前記第１の波長選択スイッチ群及び前記第２の波長選択スイッチ群は、
入力ポートから入力された波長多重信号光を波長に基づいてマッピングし、Ｎ個の出力ポートから出力する分波手段と、
前記分波手段から入力された波長光をスイッチングする、前記波長多重信号光のチャネル数と同数の光スイッチと、
前記光スイッチから入力された波長光を合波して出力する合波手段と、
を有する波長選択スイッチからなる
請求項１乃至６記載の光ネットワークシステム。
【発明の詳細な説明】
【技術分野】
【０００１】
本発明は、光クロスコネクト装置を用いた光ネットワークシステムに関するものである。
【背景技術】
【０００２】
光通信システムでは、波長多重通信技術（WDM：Wavelength Division Multiplexing）を用いることによって伝送容量を増大させている。このＷＤＭにおいて、各波長をあるまとまりに編集し、生成した波長群毎に方路設定等の信号処理を行うため、波長多重光から特定の波長の信号を選択して取り出す波長選択スイッチを有する光クロスコネクト装置が利用されている。
【０００３】
従来の光クロスコネクト装置について説明する。
【０００４】
図２４は、従来の光クロスコネクト装置の構成を示す。
【０００５】
同図に示す光クロスコネクト装置は、波長を管理し、波長編集信号及び方路切替信号を出力する制御部２０と、入力側、出力側とも４個ずつの波長選択スイッチ１０を有する。入力側の波長選択スイッチ１０に波長多重光が入力されると、制御部２０からの波長編集信号及び方路切替信号に基づいて選択された波長が出力側の波長選択スイッチ１０のいずれかに出力される（例えば、非特許文献１参照）。
【０００６】
上記のような構成の光クロスコネクト装置がスター型、リング型、メッシュ型等の光ネットワークに適用されている。
【０００７】
図２４の構成における波長選択スイッチの構成を図２５に示す。
【０００８】
図２５に示す波長選択スイッチ１０は、１入力Ｎ出力（１×Ｎ）であり、１つの分波器１１、分波器１１に接続された複数の光スイッチ１２、光スイッチ１２に接続された複数の合波器１３から構成される。
【０００９】
同図に示す分波器１１は、１つの入力ポートから入力されたλ１，λ２，…，λｎのｎチャネルからなる波長多重信号光をｎ個に分波し、ｎ個の光スイッチ１２に出力し、合波器１３において個々の光スイッチ１２から出力された波長光を合波して出力する。つまり、波長多重信号光のチャネル数と同数の光スイッチが必要となる。図２５の例では、入力されたλ１，λ２，…，λ１１の波長多重信号光を１１に分波し、１１個の光スイッチ１２に出力している。
【００１０】
それぞれの光スイッチ１２は、１つの入力ポートとＭ（Ｍは合波器の数）個の出力ポートを持ち、入力された何れかのＷＤＭ入力光を切り替えて何れかの合波器１３に出力する。
【００１１】
合波器１３は、光スイッチ１２から入力された波長を合波して出力する。図２５の例では、４つの合波器が設けられており、合波された波長λ１〜λ３、λ４〜λ６、λ７〜λ８、λ９〜λ１１が出力される。
【非特許文献１】Lei Zong, Philip Ji, Ting Wang, Osamu Matsuda, Milorad Cvijetic, "Study on Wave length Cross-Connect Realized with Wavelength Selective Switches", Optical Fiber Communications 2006.
【発明の開示】
【発明が解決しようとする課題】
【００１２】
しかしながら、上記従来の光クロスコネクト装置における波長選択スイッチは、分波器で分岐された方路数分の光スイッチが必要となる。つまり、波長多重信号光の波長数だけ光スイッチが必要となるため、波長数が増加すると、波長選択スイッチの挿入損失が大きくなり、光ネットワークにこのような波長選択スイッチを用いた光クロスコネクト装置を適用するとコストが大きくなるという問題がある。特に、リング型、メッシュ型のように、複数のノードにおいて、従来の構成の光クロスコネクト装置を適用すると、配置されるノード数が増加すればするほどコストが大きくなる。
【００１３】
本発明は、上記の点に鑑みなされたもので、光スイッチを内蔵しない波長選択スイッチを用いた光クロスコネクト装置を光ネットワークに適用することが可能な光ネットワークシステムを提供することを目的とする。
【課題を解決するための手段】
【００１４】
図１は、本発明の原理構成図である。
【００１５】
本発明（請求項１）は、光クロスコネクト装置を用いたスター型の光ネットワークシステムであって、
波長光を入出力することにより通信を行う複数の端末装置４と、
端末装置４と接続され、端末装置４から入力された波長光を多重化する多重化装置３と、
多重化装置３から入力された波長多重信号光から特定の波長の信号を選択して取り出す波長選択スイッチを並列に複数配置した第１の波長選択スイッチ群と、該第１の波長選択スイッチ群と同様の構成を有する第２の波長選択スイッチ群と、該第１の波長選択スイッチ群と該第２の波長選択スイッチ群の間に複数配置される光スイッチ群からなる光クロスコネクト装置１と、
記憶手段に格納されている光ネットワークのトポロジ情報及び波長群の情報を参照して、光クロスコネクト装置１に対し、波長を選択するための波長選択信号及び方路を切り替えるための方路切替信号を出力し、端末装置４との間で制御信号の送受信を行う管理装置２と、
を有し、
光クロスコネクト装置１を、スター型ネットワークのコア部分に配置した光ネットワークシステムである。
【００１６】
本発明（請求項２）は、光クロスコネクト装置を用いたスター型の光ネットワークシステムであって、
波長光を入出力することにより通信を行う複数の端末装置と、
端末装置を収容するネットワーク装置と、
端末装置からネットワーク装置を介して入力された波長を多重化する多重化装置と、
多重化装置から入力された波長多重信号光から特定の波長の信号を選択して取り出す波長選択スイッチを並列に複数配置した第１の波長選択スイッチ群と、該第１の波長選択スイッチ群と同様の構成を有する第２の波長選択スイッチ群と、該第１の波長選択スイッチ群と該第２の波長選択スイッチ群の間に複数配置される光スイッチ群からなる光クロスコネクト装置と、
記憶手段に格納されている光ネットワークのトポロジ情報及び波長群の情報を参照して、光クロスコネクト装置に対し、波長を選択するための波長選択信号及び方路を切り替えるための方路切替信号を出力し、端末装置及び、ネットワーク装置との間で制御信号の送受信を行う管理装置と、
を有し、
光クロスコネクト装置を、スター型ネットワークのコア部分に配置した光ネットワークシステムである。
【００１７】
本発明（請求項３）は、光クロスコネクト装置を用いたリング型の光ネットワークシステムであって、
波長光を入出力することにより通信を行う複数の端末装置と、
端末装置と接続され、該端末装置から入力された波長光を多重化する多重化装置と、
多重化装置から入力された波長多重信号光から特定の波長の信号を選択して取り出す波長選択スイッチを並列に複数配置した第１の波長選択スイッチ群と、該第１の波長選択スイッチ群と同様の構成を有する第２の波長選択スイッチ群と、該第１の波長選択スイッチ群と該第２の波長選択スイッチ群の間に複数配置される光スイッチ群からなる複数の光クロスコネクト装置と、
記憶手段に格納されている光ネットワークのトポロジ情報及び波長群の情報を参照して、光クロスコネクト装置に対し、波長を選択するための波長選択信号及び方路を切り替えるための方路切替信号を出力し、端末装置との間で制御信号の送受信を行う管理装置と、
を有し、
複数の光クロスコネクト装置を、リング型ネットワークに配置した光ネットワークシステムである。
【００１８】
本発明（請求項４）は、光クロスコネクト装置を用いたリング型の光ネットワークシステムであって、
波長光を入出力することにより通信を行う複数の端末装置と、
端末装置を収容するネットワーク装置と、
端末装置からネットワーク装置を介して入力された波長を多重化する多重化装置と、
多重化装置から入力された波長多重信号光から特定の波長の信号を選択して取り出す波長選択スイッチを並列に複数配置した第１の波長選択スイッチ群と、該第１の波長選択スイッチ群と同様の構成を有する第２の波長選択スイッチ群と、該第１の波長選択スイッチ群と該第２の波長選択スイッチ群の間に複数配置される光スイッチ群からなる複数の光クロスコネクト装置と、
記憶手段に格納されている光ネットワークのトポロジ情報及び波長群の情報を参照して、光クロスコネクト装置に対し、波長を選択するための波長選択信号及び方路を切り替えるための方路切替信号を出力し、端末装置及び、ネットワーク装置との間で制御信号の送受信を行う管理装置と、
を有し、
複数の光クロスコネクト装置を、リング型ネットワークに配置した光ネットワークシステムである。
【００１９】
本発明（請求項５）は、光クロスコネクト装置を用いたメッシュ型の光ネットワークシステムであって、
波長光を入出力することにより通信を行う複数の端末装置と、
端末装置と接続され、該端末装置から入力された波長光を多重化する多重化装置と、
多重化装置から入力された波長多重信号光から特定の波長の信号を選択して取り出す波長選択スイッチを並列に複数配置した第１の波長選択スイッチ群と、該第１の波長選択スイッチ群と同様の構成を有する第２の波長選択スイッチ群と、該第１の波長選択スイッチ群と該第２の波長選択スイッチ群の間に複数配置される光スイッチ群からなる複数の光クロスコネクト装置と、
記憶手段に格納されている光ネットワークのトポロジ情報及び波長群の情報を参照して、光クロスコネクト装置に対し、波長を選択するための波長選択信号及び方路を切り替えるための方路切替信号を出力し、端末装置との間で制御信号の送受信を行う管理装置と、
を有し、
複数の光クロスコネクト装置を、メッシュ型ネットワークに配置した光ネットワークシステムである。
【００２０】
本発明（請求項６）は、光クロスコネクト装置を用いたメッシュ型の光ネットワークシステムであって、
波長光を入出力することにより通信を行う複数の端末装置と、
端末装置を収容するネットワーク装置と、
端末装置からネットワーク装置を介して入力された波長を多重化する多重化装置と、
多重化装置から入力された波長多重信号光から特定の波長の信号を選択して取り出す波長選択スイッチを並列に複数配置した第１の波長選択スイッチ群と、該第１の波長選択スイッチ群と同様の構成を有する第２の波長選択スイッチ群と、該第１の波長選択スイッチ群と該第２の波長選択スイッチ群の間に複数配置される光スイッチ群からなる複数の光クロスコネクト装置と、
記憶手段に格納されている光ネットワークのトポロジ情報及び波長群の情報を参照して、光クロスコネクト装置に対し、波長を選択するための波長選択信号及び方路を切り替えるための方路切替信号を出力し、端末装置及び、ネットワーク装置との間で制御信号の送受信を行う管理装置と、
を有し、
複数の光クロスコネクト装置を、メッシュ型ネットワークに配置した光ネットワークシステムである。
【００２１】
また、本発明（請求項７）は、請求項１乃至６の光クロスコネクト装置の第１の波長選択スイッチ群及び第２の波長選択スイッチ群が、
入力ポートから入力された波長多重信号光を波長に基づいてマッピングし、Ｎ個の出力ポートから出力する分波手段と、
分波手段から出力されたマッピングされた複数の波長光が複数の入力ポートから入力されると、該波長光を空間的に再結合して出力ポートから出力する複数の合波手段と、
を有する波長選択スイッチである。
【００２２】
また、本発明（請求項８）は、請求項１乃至６の光クロスコネクト装置の第１の波長選択スイッチ群及び第２の波長選択スイッチ群が、
入力ポートから入力された波長多重信号光の波長帯域毎に分割し、出力ポートから出力する複数の帯域分割フィルタを有し、
帯域分割フィルタは、波長帯域毎に分割された１つの波長光は第１の出力ポートからそのまま外部に出力し、それ以外の波長光は次段の帯域分割フィルタに出力し、
最後段の帯域分割フィルタは、波長帯域毎に分割された波長光をそのまま外部に出力する波長選択スイッチからなる。
【００２３】
また、本発明（請求項９）は、請求項１乃至６の光クロスコネクト装置の第１の波長選択スイッチ群及び第２の波長選択スイッチ群が、
入力ポートから入力された波長多重信号光を波長に基づいてマッピングし、Ｎ個の出力ポートから出力する分波手段と、
分波手段から入力された波長光をスイッチングする、波長多重信号光のチャネル数と同数の光スイッチと、
光スイッチから入力された波長光を合波して出力する合波手段と、
を有する波長選択スイッチからなる。
【発明の効果】
【００２４】
上記のように本発明によれば、光スイッチの数を効果的に低減可能な光クロスコネクト装置を光ネットワークに適用することにより、個々の光クロスコネクト装置のコストが低減されるため、複数の光クロスコネクト装置が配置されるリング型やメッシュ形の光ネットワークではシステム全体のコスト減につながる。
【発明を実施するための最良の形態】
【００２５】
以下、図面と共に本発明の実施の形態を説明する。
【００２６】
最初に、光ネットワークに用いられる本発明の基本的な光クロスコネクト装置の構成について説明する。
【００２７】
図２は、本発明の基本的な光クロスコネクト装置の構成を示す。
【００２８】
同図に示す光クロスコネクト装置は、複数の波長選択スイッチ１００、複数の光スイッチ３００から構成される。
【００２９】
入力側の波長選択スイッチ１００ａ１〜１００ａ４と出力側の波長選択スイッチ１００ｂ１〜１００ｂ４の間に光スイッチ３００１〜３００３が設けられている。
【００３０】
波長選択スイッチ１００は、例えば、図３に示すような構成を有するものとする。
【００３１】
図３は、本発明の基本的な光クロスコネクト装置に適用される波長選択スイッチの構成例（その１）である。
【００３２】
波長選択スイッチ１００は、図３に示すように、１入力Ｎ出力（１×Ｎ）のスイッチであり、波長選択機能として複数の帯域分割フィルタ１１１を有する。
【００３３】
波長選択スイッチ１００は、波長多重光が入力されると、第１段目の帯域分割フィルタ１１１ａにおいて、入力ポートより入力された波長多重信号光を波長帯域毎に分割し、一方はそのまま出力ポートに出力し、もう一方の波長光は次段の帯域分割フィルタ１１１ｂに出力する。帯域分割フィルタ１１１ｂは、分割した波長光を全て出力ポートに出力する。波長選択スイッチ１００において、どの波長を選択し、どの出力ポートから出力するかは波長編集信号及び方路切替信号に依る。
【００３４】
また、上記以外に、図４に示すような波長選択スイッチを用いることも可能である。
【００３５】
図４は、本発明の基本的な光クロスコネクト装置に適用される波長選択スイッチの構成例（その２）である。
【００３６】
同図に示す波長選択スイッチ１００は、１つの分波器１１５とｎ個（図４では３個）の合波器１１６から構成される。
【００３７】
分波器１１５は、１×N分波器であり、波長多重信号光λ１，λ２，…，λｎが入力されると、外部からの制御に基づいて波長毎にマッピングして合波器１１６に出力する。
【００３８】
合波器１１６は、分波器１１５から入力された波長光の波長軸を空間的に再結合してグループ毎に出力する。
【００３９】
具体的に、波長λ１〜λ１１の波長多重信号光が入力され、そのうち、λ１〜λ３を第１グループ、λ４〜λ７を第２グループ、λ８〜λ１１を第３グループとして説明する。
【００４０】
分波器１１５の入力ポートより上記の波長多重信号光λ１〜λ１１が入力されると、分波器１１５は、第１のグループの波長光を合波器１１６１に、第２のグループの波長光を合波器１１６２に、第３グループの波長光を合波器１１６３にそれぞれ出力する。
【００４１】
これにより、それぞれの合波器１１６は、分波器１１５から入力されたグループ毎の波長光を結合して出力ポートから出力する。第１の合波器１１６１は第１のグループの波長光を、第２の合波器１１６２は第２のグループの波長光を、第３の合波器１１６３は第３のグループの波長光を結合して出力する。
【００４２】
上記の構成を有する入力側の波長選択スイッチ１００ａ１〜１００ａ４のそれぞれは、入力ポートより入力された波長多重信号光について、波長編集信号に基づいて波長を選択して光スイッチ３００１〜３００３の何れかに出力し、光スイッチ３００１〜３００３では、方路切替信号に基づいて方路を切り替え、出力側の波長選択スイッチ１００ｂ１〜１００ｂ４の何れかに出力する。出力側の波長選択スイッチ１００ｂ１〜１００ｂ４は、光スイッチ３００から入力された波長光について、波長編集信号に基づいて波長を選択し、それぞれの出力ポートより出力する。
【００４３】
以下に、上記のような構成を有する光クロスコネクト装置を光ネットワークに適用した例を説明する。
【００４４】
［第１の実施の形態］
本実施の形態では、図２に示す光クロスコネクト装置をスター型光ネットワークのコア部分に配置した例について説明する。
【００４５】
図５は、本発明の第１の実施の形態における光クロスコネクト装置を用いた光ネットワークの構成を示す。
【００４６】
同図に示す光ネットワークは、図２に示す構成を有する光クロスコネクト装置１、当該光クロスコネクト装置１に接続される管理装置２、光クロスコネクト装置に接続される複数の多重化装置３、多重化装置３に接続される複数の端末装置４から構成される。
【００４７】
図５に示す光ネットワークは、スター型であり、光クロスコネクト装置１をハブとして多重化装置３ａ〜３ｄが光ファイバで接続され、当該多重化装置３ａ〜３ｄにそれぞれ端末装置４ａ〜４ｄが光ファイバを介して接続されている構成である。同図に示す光ネットワークは、ユーザが利用する端末装置４が管理装置２と同一社内等の閉じた空間に設けられている例である。
【００４８】
管理装置２は、光ネットワーク内の接続状態を管理するトポロジ情報及び、波長群を管理するための記憶装置２１と接続され、当該記憶装置２１内のテーブルを参照して、光クロスコネクト装置１、端末装置４に対して制御信号を送出する。記憶装置２１には、図６に示すような端末装置４毎の接続帯域を格納したトポロジ管理情報データベースと、図７に示すような波長を管理するテーブルを有する。管理装置２は、光クロスコネクト装置１への制御信号として、当該光クロスコネクト装置１内の波長選択スイッチ１００に対して、イニシエートした端末装置４からの波長要求に基づいて、波長を選択するための波長編集信号を出力し、光スイッチ３００に対して、波長の方路を切り替えるための方路切替信号を出力する。また、管理装置２は、光クロスコネクト装置１及び端末装置４からの制御信号を受信する。端末装置４からは、波長要求、接続要求、切断要求等の制御信号（メッセージ）を受信する。また、光クロスコネクト装置１からは、接続完了通知、切断完了通知を受信する。
【００４９】
多重化装置３は、端末装置４から送信された波長をグループ化し、波長多重化信号を光クロスコネクト装置１に出力する。
【００５０】
光クロスコネクト装置１は、多重化装置３から入力された波長多重化信号を前述した動作により、管理装置２により指定された接続先に波長光を送出することにより、端末装置同士の通信を可能にする。なお、光クロスコネクト装置１は、管理装置２から受信した波長数を前述の波長編集信号とし、接続先情報を方路切替信号として取得し、図２において前述した動作を行う。
【００５１】
次に、図５に示す光ネットワークの動作を説明する。
【００５２】
（１）端末装置４ａからイニシエートし、当該端末装置４ａから切断する場合の動作：
図８は、本発明の第１の実施の形態におけるメッセージの送受信を示すシーケンスチャートである。
【００５３】
ステップ１０１）  端末装置４ａは、管理装置２に対して、波長数と接続先情報からなる波長要求を送信する。ここで、接続先は端末装置４ｂとする。
【００５４】
ステップ１０２）  管理装置２は、受信した波長要求に基づいて、記憶装置２１のトポロジ管理情報データベース（図６）及び、波長を管理するテーブル（図７）を参照して、波長使用可能である旨のメッセージを端末装置４ａに送信する。なお、このとき、使用不可能である場合には、波長使用不可のメッセージを送信する。
【００５５】
ステップ１０３）  端末装置４ａは、管理装置２に対して接続要求を発行する。
【００５６】
ステップ１０４）  管理装置２は、当該接続要求に基づいて、光クロスコネクト装置１に対して、波長数（波長編集信号）と接続先情報（端末装置４ｂへの方路切替信号）からなる接続命令を送信する。
【００５７】
ステップ１０５）  光クロスコネクト装置１は、管理装置２からの接続命令に基づいて、端末装置４ｂとの接続処理を行う。
【００５８】
ステップ１０６）  光クロスコネクト装置１は、接続処理が終了すると、接続が完了した旨を管理装置２に送信する。
【００５９】
ステップ１０７）  管理装置２は、端末装置４ａと端末装置４ｂに対して接続完了通知を送信する。
【００６０】
ステップ１０８）  これにより、端末装置４ａと端末装置４ｂ間で通信が確立され、管理装置２は、端末装置４ａ，４ｂ間の通信を監視する。この間、端末装置４ａから多重化装置３ａに複数の波長光が出力され、多重化装置３ａは、端末装置４ａから入力された波長光を多重化して光クロスコネクト装置１に出力する。光クロスコネクト装置１では、管理装置２からステップ１０５で取得した接続命令の波長数（波長編集信号）に基づいて波長を選択し、接続先情報（方路切替信号）に基づいて波長光の方路を切り替えて多重化装置３ｂに出力する。多重化装置３ｂは、入力された波長光を端末装置４ｂに送信する。なお、本例では、端末装置４ａと端末装置４ｂ間の通信を例として説明したが、他の端末装置同士でも同様である。
【００６１】
ステップ１０９）  端末装置４ａは、管理装置２に対して切断要求を送信する。
【００６２】
ステップ１１０）  管理装置２は、光クロスコネクト装置１に対して切断命令を送信する。
【００６３】
ステップ１１１）  光クロスコネクト装置１は、切断命令に基づいて、端末装置４ａと端末装置４ｂ間の切断処理を行う。
【００６４】
ステップ１１２）  光クロスコネクト装置１は、切断処理が終了すると、切断完了通知を管理装置２に対して送信する。
【００６５】
ステップ１１３）  管理装置２は、端末装置４ａ、４ｂに対して切断完了通知を送信する。
【００６６】
（２）  端末装置４ｂからイニシエートし、端末装置４ａから切断する場合の動作：
図９は、本発明の第１の実施の形態におけるメッセージの送受信を示すシーケンスチャート（その２）である。
【００６７】
ステップ２０１）  端末装置４ｂは、管理装置２に対して、波長数と接続先情報からなる波長要求を送信する。ここで、接続先は端末装置ａとする。
【００６８】
ステップ２０２）  管理装置２は、受信した波長要求に基づいて、記憶装置２１のトポロジ管理情報データベース（図６）及び波長を管理しているテーブル（図７）を参照して、波長使用可能である旨のメッセージを端末装置４ｂに送信する。なお、このとき、使用不可能である場合には、波長使用不可のメッセージを送信する。
【００６９】
ステップ２０３）  端末装置４ｂは、管理装置２に対して接続要求を発行する。
【００７０】
ステップ２０４）  管理装置２は、当該接続要求に基づいて、記憶装置２１の情報を参照して光クロスコネクト装置１に対して、波長数（波長編集信号）と接続先情報（端末装置４ａへの方路切替信号）からなる接続命令を送信する。
【００７１】
ステップ２０５）  光クロスコネクト装置１は、管理装置２からの接続命令に基づいて、端末装置４ａとの接続処理を行う。
【００７２】
ステップ２０６）  光クロスコネクト装置１は、接続処理が終了すると、接続が完了した旨を管理装置２に送信する。
【００７３】
ステップ２０７）  管理装置２は、端末装置４ｂと端末装置４ａに対して接続完了通知を送信する。
【００７４】
ステップ２０８）  これにより、端末装置４ｂと端末装置４ａ間で通信が確立され、管理装置２は、端末装置４ｂ，４ａ間の通信を監視する。この間端末装置４ｂから多重化装置３ｂに複数の波長光が出力され、多重化装置３ｂは、端末装置４ｂから入力された波長光を多重化して光クロスコネクト装置１に出力する。光クロスコネクト装置１では、管理装置２からステップ１０５で取得した接続命令の波長数（波長編集信号）に基づいて波長を選択し、接続先情報（方路切替信号）に基づいて波長光の方路を切り替えて多重化装置３ａに出力する。多重化装置３ａは、入力された波長光を端末装置４ａに送信する。
【００７５】
ステップ２０９）  端末装置４ａは、管理装置２に対して切断要求を送信する。
【００７６】
ステップ２１０）  管理装置２は、光クロスコネクト装置１に対して切断命令を送信する。
【００７７】
ステップ２１１）  光クロスコネクト装置１は、切断命令に基づいて、端末装置４ａと端末装置４ｂ間の切断処理を行う。
【００７８】
ステップ２１２）  光クロスコネクト装置１は、切断処理が終了すると、切断完了通知を管理装置２に対して送信する。
【００７９】
ステップ２１３）  管理装置２は、端末装置４ａ、４ｂに対して切断完了通知を送信する。
【００８０】
［第２の実施の形態］
本実施の形態では、第１の実施の形態の構成にネットワーク装置が付加された構成について説明する。
【００８１】
図１０は、本発明の第２の実施の形態における光クロスコネクト装置を用いたスター型ネットワークの構成を示す。
【００８２】
同図に示す光ネットワークは、図５の構成にネットワーク装置５を付加したものであり、その他の構成は図５と同様である。図１０に示す光ネットワークは、ネットワーク装置５と外部の端末装置４とを接続した構成である。
【００８３】
ネットワーク装置５は、端末装置４を収容し、ユーザのアカウントやユーザからのログインを管理する装置であり、端末装置４と多重化装置３の間に設けられる。なお、図８では、１つのネットワーク装置５に１つの端末装置を接続した例を示しているが、複数の端末装置が接続されていてもよく、それぞれの端末装置のユーザ情報等を記憶手段（図示せず）で管理するものとする。ネットワーク装置５は、当該装置が収容する端末装置４からアクセスされると、内部の記憶手段に保持されているユーザ情報に基づいて認証や課金処理を行うことが可能である。また、管理装置２にユーザの情報を登録しておき、ネットワーク装置５と管理装置２が通信することにより、管理装置の記憶部（図示せず）に格納されているユーザ情報を用いて、ユーザ認証や課金処理を行うことも可能である。ネットワーク装置５は、ユーザが正当であると認証された場合には、当該ユーザの端末装置４から入力された波長信号を多重化装置３に出力する。
【００８４】
管理装置２は、第１の実施の形態と同様に、トポロジ情報、波長群を管理するための記憶装置２１を備え、当該記憶装置２１のトポロジ管理情報データベース（図６）及び波長を管理するテーブル（図７）を参照して、光クロスコネクト装置１、ネットワーク装置５、端末装置４に対して制御信号を送出する。管理装置２は、光クロスコネクト装置１への制御信号として、当該光クロスコネクト装置１内の波長選択スイッチ１００に対して、イニシエートした端末装置４からの波長要求に基づいて、波長を選択するための波長編集信号を出力し、光スイッチ３００に対して、波長の方路を切り替えるための方路切替信号を出力する。また、管理装置２は、光クロスコネクト装置１、端末装置４及びネットワーク装置５からの制御信号を受信する。端末装置４からは、波長要求、接続要求、切断要求等の制御信号（メッセージ）を受信する。また、光クロスコネクト装置１及びネットワーク装置５からは、接続完了通知、切断完了通知を受信する。
【００８５】
多重化装置３の動作は第１の実施の形態と同様である。
【００８６】
次に、図１０に示す光ネットワークの動作を説明する。
【００８７】
（１）端末装置４ａからイニシエートし、当該端末装置４ａから切断する場合の動作：
図１１は、本発明の第２の実施の形態におけるメッセージの送受信を示すシーケンスチャートである。
【００８８】
ステップ３０１）  端末装置４ａは、管理装置２に対して、波長数と接続先情報からなる波長要求を送信する。ここで接続先は端末装置４ｂとする。
【００８９】
ステップ３０２）  管理装置２は、受信した波長要求に基づいて、記憶装置２１のトポロジ管理情報データベース（図６）及び波長を管理しているテーブル（図７）を参照し、波長使用可能である旨のメッセージを端末装置４ａに送信する。なお、このとき、使用不可能である場合には、波長使用不可のメッセージを送信する。
【００９０】
ステップ３０３）  端末装置４ａは、管理装置２に対して接続要求を発行する。
【００９１】
ステップ３０４）  管理装置２は、当該接続要求に基づいて、記憶装置２１のトポロジ管理情報データベース（図６）及び波長を管理するテーブル（図７）を参照し、接続先である端末装置４ｂを収容するネットワーク装置５ｂを検索し、光クロスコネクト装置１に対して、波長数（波長編集信号）と接続先情報（ネットワーク装置５ｂへの方路切替信号）からなる接続命令を送信する。
【００９２】
ステップ３０５）  管理装置２は、ネットワーク装置５ａに対して、記憶装置２１内の情報を参照して波長数と接続先情報からなる接続命令を送信する。
【００９３】
ステップ３０６）  ネットワーク装置５ａは管理装置２からの接続命令に基づいて接続先である端末装置４ｂと接続する。
【００９４】
ステップ３０７）  光クロスコネクト装置１は、ステップ３０４における管理装置２からの接続命令の接続先情報に基づいて、当該接続先であるネットワーク装置５ｂと接続を行う。
【００９５】
ステップ３０８）  光クロスコネクト装置１は、接続先との接続が完了したことの完了通知を管理装置２に送信する。
【００９６】
ステップ３０９）  管理装置２は、端末装置４ｂを収容するネットワーク装置５ｂに対して、記憶装置２１内の情報を参照して波長数と接続先情報（端末装置４ｂ）からなる接続命令を送信する。
【００９７】
ステップ３１０）  ネットワーク装置５ｂは管理装置２からの接続命令に基づいて、接続先である端末装置４ｂとの接続を行い、接続完了通知を管理装置２に送信する。
【００９８】
ステップ３１１）  管理装置２は、接続完了通知を端末装置４ａ、４ｂに送信する。
【００９９】
ステップ３１２）  管理装置２は、端末装置４ａ，４ｂ間の通信を確立し、監視する。当該動作は、第１の実施の形態におけるステップ１０８やステップ２０８の動作と同様であるので、その説明は省略する。
【０１００】
ステップ３１３）  管理装置２は、端末装置４ａからの切断要求を受信する。
【０１０１】
ステップ３１４）  管理装置２は、光クロスコネクト装置１に対して、波長数と接続先情報からなる切断命令を送信する。
【０１０２】
ステップ３１５）  また、管理装置２は、端末装置４ａを収容するネットワーク装置５ａに対して、記憶装置２１内の情報を参照して波長数と接続先情報からなる切断命令を送信する。
【０１０３】
ステップ３１６）  ネットワーク装置５ａは、接続先情報に基づいて当該接続先との接続を切断し、その完了通知を管理装置２に送信する。
【０１０４】
ステップ３１７）  光クロスコネクト装置１は、ステップ３１４にて受信した切断命令の接続先情報に基づいて、当該接続先との接続を切断する。
【０１０５】
ステップ３１８）  光クロスコネクト装置１は、切断完了通知を管理装置２に送信する。
【０１０６】
ステップ３１９）  管理装置２は、端末装置４ｂを収容するネットワーク装置５ｂに対して、波長数と接続先情報からなる切断命令を送信する。
【０１０７】
ステップ３２０）  ネットワーク装置５ｂは切断命令の接続先情報に基づいて、当該接続先との接続を切断し、その完了通知を管理装置２に送信する。
【０１０８】
ステップ３２１）  管理装置２は、切断完了通知を端末装置４ａ，４ｂに送信する。
【０１０９】
（２）  端末装置４ｂからイニシエートし、端末装置４ａから切断する場合の動作：
図１２０は、本発明の２の実施の形態におけるメッセージの送受信を示すシーケンスチャート（その２）である。
【０１１０】
ステップ４０１）  端末装置４ｂは、管理装置２に対して、波長数と接続先情報からなる波長要求を送信する。
【０１１１】
ステップ４０２）  管理装置２は、記憶装置２１のトポロジ管理情報データベース（図６）及び波長を管理しているテーブル（図７）を参照して、波長使用可能である旨のメッセージを端末装置４ｂに送信する。なお、このとき、使用不可能である場合には、波長使用不可のメッセージを送信する。
【０１１２】
ステップ４０３）  端末装置４ｂは、管理装置２に対して接続要求を発行する。
【０１１３】
ステップ４０４）  管理装置２は、当該接続要求に基づいて、記憶装置２１内のトポロジ管理情報データベース（図６）を参照して、接続先である端末装置４ａを収容するネットワーク装置５ａを検索し、光クロスコネクト装置１に対して、波長数（波長編集信号）と接続先情報（ネットワーク装置５ａへの方路切替信号）からなる接続命令を送信する。
【０１１４】
ステップ４０５）  管理装置２は、ネットワーク装置５ａに対して波長数と接続先情報からなる接続命令を送信する。
【０１１５】
ステップ４０６）  ネットワーク装置５ａは管理装置２からの接続命令に基づいて接続先である端末装置４ａと接続する。
【０１１６】
ステップ４０７）  光クロスコネクト装置１は、ステップ３０４における管理装置２からの接続命令の接続先情報（ネットワーク装置５ａへの方路切替信号）に基づいて、当該接続先であるネットワーク装置５ａとの接続を行う。
【０１１７】
ステップ４０８）  光クロスコネクト装置１は、接続先との接続が完了したことの完了通知を管理装置２に送信する。
【０１１８】
ステップ４０９）  管理装置２は、端末装置４ｂを収容するネットワーク装置５ｂに対して、記憶装置２１内の情報を参照して波長数と接続先情報（端末装置４ｂ）からなる接続命令を送信する。
【０１１９】
ステップ４１０）  ネットワーク装置５ｂは管理装置２からの接続命令に基づいて、接続先である端末装置４ｂとの接続を行い、完了したことの完了通知を管理装置２に送信する。
【０１２０】
ステップ４１１）  管理装置２は、接続完了通知を端末装置４ａ、４ｂに送信する。
【０１２１】
ステップ４１２）  管理装置２は、端末装置４ａ，４ｂ間の通信を確立し、監視する。当該動作は、第１の実施の形態におけるステップ１０８やステップ２０８の動作と同様であるので、その説明は省略する。
【０１２２】
ステップ４１３）  管理装置２は、端末装置４ａからの切断要求を受信する。
【０１２３】
ステップ４１４）  管理装置２は、光クロスコネクト装置１に対して、波長数と接続先情報からなる切断命令を送信する。
【０１２４】
ステップ４１５）  また、管理装置２は、端末装置４ａを収容するネットワーク装置５ａに対して波長数と接続先情報からなる切断命令を送信する。
【０１２５】
ステップ４１６）  ネットワーク装置５ａは、接続先情報に基づいて当該接続先との接続を切断し、その完了通知を管理装置２に送信する。
【０１２６】
ステップ４１７）  光クロスコネクト装置１は、ステップ４１４にて受信した切断命令の接続先情報に基づいて、当該接続先との接続を切断する。
【０１２７】
ステップ４１８）  光クロスコネクト装置１は、切断完了通知を管理装置２に送信する。
【０１２８】
ステップ４１９）  管理装置２は、端末装置４ｂを収容するネットワーク装置５ｂに対して、波長数と接続先情報からなる切断命令を送信する。
【０１２９】
ステップ４２０）  ネットワーク装置５ｂは切断命令の接続先情報に基づいて、当該接続先との接続を切断し、その完了通知を管理装置２に送信する。
【０１３０】
ステップ４２１）  管理装置２は、切断完了通知を端末装置４ａ，４ｂに送信する。
【０１３１】
［第３の実施の形態］
本実施の形態では、ループ上の１本のケーブルに各ノードを接続したリング型の光ネットワークに光クロスコネクト装置を配置した場合について説明する。
【０１３２】
図１３は、本発明の第３の実施の形態における光クロスコネクト装置を用いたリング型光ネットワークの構成を示す。
【０１３３】
同図に示す光ネットワークは、複数の光クロスコネクト装置１がリング状に光ファイバで接続され、各光クロスコネクト装置１にはそれぞれ多重化装置３が接続され、多重化装置３にはそれぞれ端末装置４が接続されている。
【０１３４】
前述の第１の実施の形態と同様に、管理装置２は、光クロスコネクト装置１及び端末装置４との間で制御信号をやり取りする。やり取りされる制御信号の内容は第１の実施の形態と同様であるので、その説明を省略する。管理装置２は、記憶装置２１と接続される。記憶装置２１は図１４に示すようなトポロジ管理情報データベース及び、図７、図１５に示すような波長を管理するテーブルを有する。
【０１３５】
図１６は、本発明の第３の実施の形態における光クロスコネクト装置を用いたリング型光ネットワークの構成を示す。
【０１３６】
同図に示す光ネットワークは、光クロスコネクト装置１がリング状に光ファイバを介して配置されたものであり、それぞれの光クロスコネクト装置１に多重化装置３が光ファイバで接続され、当該多重化装置に光ファイバを介して端末装置４が接続された構成である。  同図に示す光ネットワークは、ユーザが利用する端末装置４が管理装置２と同一社内等の閉じた空間に設けられている例である。
【０１３７】
管理装置２は、トポロジ管理情報で（図１４）、波長群を管理するためのテーブル（図７、図１５）を有する記憶装置２１を備え、当該記憶装置２１内の情報を参照して、光クロスコネクト装置１、端末装置４に対して制御信号を送出する。管理装置２は、光クロスコネクト装置１への制御信号として、当該光クロスコネクト装置１内の波長選択スイッチ１００に対して、イニシエートした端末装置４からの波長要求に基づいて、波長を選択するための波長編集信号を出力し、光スイッチ３００に対して、接続先情報として波長の方路を切り替えるための方路切替信号を出力する。また、管理装置２は、光クロスコネクト装置１、端末装置４からの制御信号を受信する。端末装置４からは、波長要求、接続要求、切断要求等の制御信号（メッセージ）を受信する。また、光クロスコネクト装置１からは、接続完了通知、切断完了通知を受信する。
【０１３８】
多重化装置３の動作は第１の実施の形態と同様に、端末装置４から入力された波長光を多重化して光クロスコネクト装置１に出力するものである。
【０１３９】
次に、図１１に示す光ネットワークの動作を説明する。
【０１４０】
図１２は、本発明の第３の実施の形態におけるメッセージ送受信を示すシーケンスチャートである。同図では、端末装置４ａからイニシエートし、同端末装置４ａから切断要求を行うものとし、端末装置４ａから端末装置４ｂ間で通信を行うものとする。
【０１４１】
ステップ５０１）  端末装置４ａは、管理装置２に対して、波長数と接続先情報からなる波長要求を送信する。ここで、接続先は端末装置４ｂとする。
【０１４２】
ステップ５０２）  管理装置２は、受信した波長要求に基づいて、記憶装置２１のトポロジ管理情報データベース及び波長を管理しているテーブル（図７、図１５）を参照して、波長使用可能である旨のメッセージを端末装置４ａに送信する。なお、このとき、使用不可能である場合には、波長使用不可のメッセージを送信する。
【０１４３】
ステップ５０３）  端末装置４ａは、管理装置２に対して接続要求を発行する。
【０１４４】
ステップ５０４）  管理装置２は、当該接続要求に基づいて、記憶装置２１内の情報を参照して、光クロスコネクト装置１ａに対して、波長数（波長編集信号）と接続先情報（方路切替信号）からなる接続命令を送信する。
【０１４５】
ステップ５０５）  管理装置２は、同様に、接続要求に基づいて、記憶装置２１内の情報を参照して、光クロスコネクト装置１ｂに対して、波長数（波長編集信号）と接続先情報（方路切替信号）からなる接続命令を送信する。
【０１４６】
ステップ５０６）  光クロスコネクト装置１ａは、管理装置２からの接続命令の接続先情報に基づいて、接続処理を行う。
【０１４７】
ステップ５０７）  光クロスコネクト装置１ｂは、管理装置２からの接続命令の接続情報に基づいて接続処理を行う。
【０１４８】
ステップ５０８）  光クロスコネクト装置１ａは、接続完了通知を管理装置２に送信する。
【０１４９】
ステップ５０９）  光クロスコネクト装置１ｂは、接続完了通知を管理装置２に送信する。
【０１５０】
ステップ５１０）  管理装置２は、端末装置４ａと端末装置４ｂに対して接続完了通知を送信する。
【０１５１】
ステップ５１１）  これにより、端末装置４ａと端末装置４ｂ間で通信が確立され、管理装置２は、端末装置４ａ，４ｂ間の通信を監視する。この間端末装置４ａから多重化装置３ａに複数の波長光が出力され、多重化装置３ａは、端末装置４ａから受信した波長光を多重化して光クロスコネクト装置１ａに出力する。光クロスコネクト装置１ａでは、管理装置２からステップ１０５で取得した接続命令の波長数（波長編集信号）に基づいて波長を選択し、接続先情報（方路切替信号）に基づいて、光クロスコネクト装置１ｂに波長光の方路を切り替えて出力する。光クロスコネクト装置１ｂは、光クロスコネクト装置１ａから波長多重光が入力されると、管理装置２からの波長数（波長編集信号）に基づいて波長を選択し、接続先情報（方路切替信号）に基づいて、端末装置４ｂに接続される多重化装置３ｂに出力する。多重化装置３ｂは、入力された波長光を端末装置４ｂに送信する。なお、本例では、端末装置４ａと端末装置４ｂ間の通信を例として説明したが、他の端末装置同士でも同様に、リング状に配置された光クロスコネクト装置１を順に辿り通信を行う。
【０１５２】
ステップ５１２）  端末装置４ａは、管理装置２に対して切断要求を送信する。
【０１５３】
ステップ５１３）  管理装置２は、光クロスコネクト装置１ａに対して切断命令を送信する。
【０１５４】
ステップ５１４）  管理装置２は、光クロスコネクト装置１ｂに対して切断命令を送信する。
【０１５５】
ステップ５１５）  光クロスコネクト装置１ａは、切断命令に基づいて切断処理を行う。
【０１５６】
ステップ５１６）  光クロスコネクト装置１ｂは、切断命令に基づいて切断処理を行う。
【０１５７】
ステップ５１７）  光クロスコネクト装置１ａは、切断処理が終了すると、切断完了通知を管理装置２に対して送信する。
【０１５８】
ステップ５１８）  光クロスコネクト装置１ｂは、切断処理が終了すると、切断完了通知を管理装置２に対して送信する。
【０１５９】
ステップ５１９）  管理装置２は、端末装置４ａ、４ｂに対して切断完了通知を送信する。
【０１６０】
［第４の実施の形態］
本実施の形態では、第３の実施の形態と同様にリング型のネットワークに光クロスコネクト装置を設けており、第３の実施の形態の構成に、外部の端末装置を収容するネットワーク装置を設けた点において異なる。
【０１６１】
図１７は、本発明の第４の実施の形態における光クロスコネクト装置を用いたリング型光ネットワークの構成を示す。
【０１６２】
ネットワーク装置５は、多重化装置３と当該ネットワーク装置５が収容する端末装置４との間に設けられる。ネットワーク装置５の機能は、第２の実施の形態と同様であるため、その説明は省略する。本実施の形態では、ネットワーク装置５を設けたことにより、管理装置２において制御信号のやり取りは端末装置４ではなく、ネットワーク装置５と行う点において第３の実施の形態と異なる。
【０１６３】
図１８は、本発明の第４の実施の形態におけるメッセージ送受信を示すシーケンスチャートである。同図では、端末装置４ａからイニシエートし、同端末装置４ａから切断要求を行うものとし、端末装置４ａから端末装置４ｂ間で通信を行うものとする。
【０１６４】
ステップ６０１）  端末装置４ａは、管理装置２に対して、波長数と接続先情報からなる波長要求を送信する。ここで、接続先は端末装置４ｂとする。
【０１６５】
ステップ６０２）  管理装置２は、受信した波長要求に基づいて、記憶装置２１のトポロジ管理情報データベース（図１４）及び波長を管理しているテーブル（図１５）を参照して、波長使用可能である旨のメッセージを端末装置４ａに送信する。なお、このとき、使用不可能である場合には、波長使用不可のメッセージを送信する。
【０１６６】
ステップ６０３）  端末装置４ａは、管理装置２に対して接続要求を発行する。
【０１６７】
ステップ６０４）  管理装置２は、ネットワーク装置５ａに対して端末装置４ａからの波長要求に基づいて、記憶装置２１内の情報を参照して、波長数と接続先情報からなる接続命令を送信する。
【０１６８】
ステップ６０４）  ネットワーク装置５ａは、端末装置４ａと接続する。
【０１６９】
ステップ６０５）  ネットワーク装置５ａは、接続完了通知を管理装置２に送信する。
【０１７０】
ステップ６０６）  管理装置２は、端末装置４ａからの接続要求に基づいて、端末装置４ｂを収容するネットワーク装置５ｂに対して、波長数と接続先情報からなる接続命令を送信する。
【０１７１】
ステップ６０７）  ネットワーク装置５ｂは、端末装置４ｂと接続し、接続完了通知を管理装置２に送信する。
【０１７２】
ステップ６０８）  管理装置２は、当該接続要求に基づいて、記憶装置２１内の情報を参照して光クロスコネクト装置１ａに対して、波長数（波長編集信号）と接続先情報（方路切替信号）からなる接続命令を送信する。
【０１７３】
ステップ６０９）  光クロスコネクト装置１ａは、波長数と接続先情報に基づいて記憶装置２１内の情報を参照して、光クロスコネクト装置１ｂとの接続処理を行う。
【０１７４】
ステップ６１０）  光クロスコネクト装置１ａは、接続完了通知を管理装置２に送信する。
【０１７５】
ステップ６１１）  管理装置２は、端末装置４ａからの接続要求に基づいて、光クロスコネクト装置１ｂに対して、波長数（波長編集信号）と接続先情報（方路切替信号）からなる接続命令を送信する。
【０１７６】
ステップ６１２）  光クロスコネクト装置１ｂは、波長数と接続先情報に基づいて接続処理を行う。
【０１７７】
ステップ６１３）  光クロスコネクト装置１ｂは、接続完了通知を管理装置２に送信する。
【０１７８】
ステップ６１４）  管理装置２は、接続完了通知を端末装置４ａに送信する。
【０１７９】
ステップ６１５）  管理装置２は、接続完了通知を端末装置４ｂに送信する。
【０１８０】
ステップ６１６）  管理装置２は、端末装置４ａと端末装置４ｂ間で通信が確立されると、端末装置４ａ，４ｂ間の通信を監視する。この間端末装置４ａから多重化装置３ａに複数の波長光が出力され、多重化装置３ａは、端末装置４ａから受信した波長光を多重化して光クロスコネクト装置１ａに出力する。光クロスコネクト装置１ａでは、管理装置２からステップ６１１で取得した接続命令の波長数（波長編集信号）に基づいて波長を選択し、接続先情報（方路切替信号）に基づいて、光クロスコネクト装置１ｂに波長光の方路を切り替えて出力する。光クロスコネクト装置１ｂは、光クロスコネクト装置１ａから波長多重光が入力されると、管理装置２からの波長数（波長編集信号）に基づいて波長を選択し、接続先情報（方路切替信号）に基づいて、端末装置４ｂに接続される多重化装置３ｂに出力する。多重化装置３ｂは、入力された波長光を端末装置４ｂに送信する。なお、本例では、端末装置４ａと端末装置４ｂ間の通信を例として説明したが、他の端末装置同士でも同様に、リング状に配置された光クロスコネクト装置１を順に辿り通信を行う。
【０１８１】
ステップ６１７）  端末装置４ａは、管理装置２に対して切断要求を送信する。
【０１８２】
ステップ６１８）  管理装置２は、ネットワーク装置５ａに切断命令を送信する。
【０１８３】
ステップ６１９）  管理装置２は、ネットワーク装置５ｂに切断命令を送信する。
【０１８４】
ステップ６２０）  ネットワーク装置５ａは、端末装置４ａとの接続を切断し、切断完了通知を管理装置２に送信する。
【０１８５】
ステップ６２１）  ネットワーク装置５ｂは、端末装置４ｂとの接続を切断し、切断完了通知を管理装置２に送信する。
【０１８６】
ステップ６２２）  管理装置２は、光クロスコネクト装置１ａに切断命令を送信する。
【０１８７】
ステップ６２３）  管理装置２は、光クロスコネクト装置１ｂに切断命令を送信する。
【０１８８】
ステップ６２４）  光クロスコネクト装置１ａは、ステップ６０９の接続を切断する。
【０１８９】
ステップ６２５）  光クロスコネクト装置１ｂは、ステップ６１２の接続を切断する。
【０１９０】
ステップ６２６）  光クロスコネクト装置１ａは、切断処理が終了すると、切断完了通知を管理装置２に送信する。
【０１９１】
ステップ６２７）  光クロスコネクト装置１ｂは、切断処理が終了すると、切断完了通知を管理装置２に対して送信する。
【０１９２】
ステップ６２８）  管理装置２は、端末装置４ａに対して切断完了通知を送信する。
【０１９３】
ステップ６２９）  管理装置２は、端末装置４ｂに対して切断完了通知を送信する。
【０１９４】
[第５の実施の形態]
本実施の形態では、光クロスコネクト装置をメッシュ型ネットワークに配置した場合ついて説明する。
【０１９５】
図１９は、本発明の第５の実施の形態における光クロスコネクト装置を用いたメッシュ形光ネットワークの構成を示す。
【０１９６】
同図に示す光ネットワークは、４つの光クロスコネクト装置１が、ポイントツーポイントで光ファイバを解して接続されるメッシュ型であり、各光クロスコネクト装置１には、それぞれ多重化装置３が光ファイバで接続され、当該多重化装置３はそれぞれ光ファイバで接続された端末装置４を収容する構成である。同図に示す光ネットワークは、ユーザが利用する端末装置４が管理装置２と同一社内等の閉じた空間に設けられている例である。
【０１９７】
光クロスコネクト装置１、多重化装置３、端末装置４及び管理装置２は、第１の実施の形態の機能と同様であるので、その説明は省略する。なお、管理装置２には、図２０に示すようなトポロジ管理情報及び図７、図１５に示すような波長を管理するテーブルを有する記憶装置２１と接続されている。
【０１９８】
メッセージの送受信の方法は、例えば、管理装置２に端末装置４ａから端末装置４ｂへの接続要求があった場合は、前述の第３の実施の形態と同様のシーケンスとなる。
【０１９９】
以下に、端末装置４ａから端末装置４ｃへの接続要求があった場合について説明する。
【０２００】
図２１は、本発明の第５の実施の形態におけるメッセージ送受信を示すシーケンスチャートである。
【０２０１】
ステップ７０１）  端末装置４ａは、管理装置２に対して、波長数と接続先情報からなる波長要求を送信する。ここで、接続先は端末装置４ｃとする。
【０２０２】
ステップ７０２）  管理装置２は、受信した波長要求に基づいて、記憶装置２１のトポロジ管理情報データベース（図２０）及び、波長を管理しているテーブル（図７、図１５）を参照して、波長使用可能である旨のメッセージを端末装置４ａに送信する。なお、このとき、使用不可能である場合には、波長使用不可のメッセージを送信する。
【０２０３】
ステップ７０３）  端末装置４ａは、管理装置２に対して接続要求を発行する。
【０２０４】
ステップ７０４）  管理装置２は、当該接続要求に基づいて、記憶装置２１内の情報を参照して光クロスコネクト装置１ａに対して、波長数（波長編集信号）と接続先情報（方路切替信号）からなる接続命令を送信する。
【０２０５】
ステップ７０５）  管理装置２は、同様に、接続要求に基づいて、記憶装置２１内の情報を参照して光クロスコネクト装置１ｃに対して、波長数（波長編集信号）と接続先情報（方路切替信号）からなる接続命令を送信する。
【０２０６】
ステップ７０６）  光クロスコネクト装置１ａは、管理装置２からの接続命令の接続先情報に基づいて、接続処理を行う。
【０２０７】
ステップ７０７）  光クロスコネクト装置１ｃは、管理装置２からの接続命令の接続情報に基づいて接続処理を行う。
【０２０８】
ステップ７０８）  光クロスコネクト装置１ａは、接続完了通知を管理装置２に送信する。
【０２０９】
ステップ７０９）  光クロスコネクト装置１ｃは、接続完了通知を管理装置２に送信する。
【０２１０】
ステップ７１０）  管理装置２は、端末装置４ａと端末装置４ｃに対して接続完了通知を送信する。
【０２１１】
ステップ７１１）  これにより、端末装置４ａと端末装置４ｃ間で通信が確立され、管理装置２は、端末装置４ａ，４ｃ間の通信を監視する。この間端末装置４ａから多重化装置３ａに複数の波長光が出力され、多重化装置３ａは、端末装置４ａから受信した波長光を多重化して光クロスコネクト装置１ａに出力する。光クロスコネクト装置１ａでは、管理装置２からステップ１０５で取得した接続命令の波長数（波長編集信号）に基づいて波長を選択し、接続先情報（方路切替信号）に基づいて、光クロスコネクト装置１ｃに波長光の方路を切り替えて出力する。光クロスコネクト装置１ｃは、光クロスコネクト装置１ａから波長多重光が入力されると、管理装置２からの波長数（波長編集信号）に基づいて波長を選択し、接続先情報（方路切替信号）に基づいて、端末装置４ｃに接続される多重化装置３ｃに出力する。多重化装置３ｃは、入力された波長光を端末装置４ｃに送信する。なお、
ステップ７１２）  端末装置４ａは、管理装置２に対して切断要求を送信する。
【０２１２】
ステップ７１３）  管理装置２は、光クロスコネクト装置１ａに対して切断命令を送信する。
【０２１３】
ステップ７１４）  管理装置２は、光クロスコネクト装置１ｃに対して切断命令を送信する。
【０２１４】
ステップ７１５）  光クロスコネクト装置１ａは、切断命令に基づいて切断処理を行う。
【０２１５】
ステップ７１６）  光クロスコネクト装置１ｃは、切断命令に基づいて切断処理を行う。
【０２１６】
ステップ７１７）  光クロスコネクト装置１ａは、切断処理が終了すると、切断完了通知を管理装置２に対して送信する。
【０２１７】
ステップ７１８）  光クロスコネクト装置１ｃは、切断処理が終了すると、切断完了通知を管理装置２に対して送信する。
【０２１８】
ステップ７１９）  管理装置２は、端末装置４ａ、４ｃに対して切断完了通知を送信する。
【０２１９】
［第６の実施の形態］
本実施の形態は、第５の実施の形態と同様に、光クロスコネクト装置をメッシュ型光ネットワークに配置したものである。
【０２２０】
図２２は、本発明の第６の実施の形態における光クロスコネクト装置を用いたメッシュ形光ネットワークの構成を示す。同図に示す光ネットワークは、各光クロスコネクト装置１に接続される多重化装置３にそれぞれ端末装置４を収容するネットワーク装置５が用いられている点において、第５の実施の形態と異なる。
【０２２１】
同図に示す光ネットワークにおいて、管理装置２は、制御信号を端末装置４ではなく、端末装置４を収容しているネットワーク装置５に送信する。なお、管理装置２に接続される記憶装置２１に格納される情報は、第５の実施の形態と同様である。
【０２２２】
図２３は、本発明の第６の実施の形態におけるメッセージの送受信を示すシーケンスチャートである。同図では、端末装置４ａから端末装置４ｃへの接続要求があった場合について説明する。
【０２２３】
ステップ８０１）  端末装置４ａは、管理装置２に対して、波長数と接続先情報からなる波長要求を送信する。ここで、接続先は端末装置４ｃとする。
【０２２４】
ステップ８０２）  管理装置２は、受信した波長要求に基づいて、記憶装置２１内に格納されているトポロジ管理情報（図２０）及び、波長を管理しているテーブル（図７、図１５）を参照して、波長使用可能である旨のメッセージを端末装置４ａに送信する。なお、このとき、使用不可能である場合には、波長使用不可のメッセージを送信する。
【０２２５】
ステップ８０３）  端末装置４ａは、管理装置２に対して接続要求を発行する。
【０２２６】
ステップ８０４）  管理装置２は、ネットワーク装置５ａに対して端末装置４ａからの波長要求に基づいて、記憶装置２１内の情報を参照して波長数と接続先情報からなる接続命令を送信する。
【０２２７】
ステップ８０４）  ネットワーク装置５ａは、端末装置４ａと接続する。
【０２２８】
ステップ８０５）  ネットワーク装置５ａは、接続完了通知を管理装置２に送信する。
【０２２９】
ステップ８０６）  管理装置２は、端末装置４ａからの接続要求に基づいて、記憶装置２１内の情報を参照し、端末装置４ｃを収容するネットワーク装置５ｃに対して、波長数と接続先情報からなる接続命令を送信する。
【０２３０】
ステップ８０７）  ネットワーク装置５ｃは、端末装置４ｃと接続し、接続完了通知を管理装置２に送信する。
【０２３１】
ステップ８０８）  管理装置２は、当該接続要求に基づいて、記憶装置２１内の情報を参照して光クロスコネクト装置１ａに対して、波長数（波長編集信号）と接続先情報（方路切替信号）からなる接続命令を送信する。
【０２３２】
ステップ８０９）  光クロスコネクト装置１ａは、波長数と接続先情報に基づいて、光クロスコネクト装置１ｃとの接続処理を行う。
【０２３３】
ステップ８１０）  光クロスコネクト装置１ａは、接続完了通知を管理装置２に送信する。
【０２３４】
ステップ８１１）  管理装置２は、端末装置４ａからの接続要求に基づいて、記憶装置２１内の情報を参照して光クロスコネクト装置１ｃに対して、波長数（波長編集信号）と接続先情報（方路切替信号）からなる接続命令を送信する。
【０２３５】
ステップ８１２）  光クロスコネクト装置１ｃは、波長数と接続先情報に基づいて接続処理を行う。
【０２３６】
ステップ８１３）  光クロスコネクト装置１ｃは、接続完了通知を管理装置２に送信する。
【０２３７】
ステップ８１４）  管理装置２は、接続完了通知を端末装置４ａに送信する。
【０２３８】
ステップ８１５）  管理装置２は、接続完了通知を端末装置４ｃに送信する。
【０２３９】
ステップ８１６）  管理装置２は、端末装置４ａと端末装置４ｃ間で通信が確立されると、端末装置４ａ，４ｃ間の通信を監視する。この間、端末装置４ａから多重化装置３ａに複数の波長光が出力され、多重化装置３ａは、端末装置４ａから受信した波長光を多重化して光クロスコネクト装置１ａに出力する。光クロスコネクト装置１ａでは、管理装置２からステップ８１１で取得した接続命令の波長数（波長編集信号）に基づいて波長を選択し、接続先情報（方路切替信号）に基づいて、光クロスコネクト装置１ｃに波長光の方路を切り替えて出力する。光クロスコネクト装置１ｃは、光クロスコネクト装置１ａから波長多重光が入力されると、管理装置２からの波長数（波長編集信号）に基づいて波長を選択し、接続先情報（方路切替信号）に基づいて、端末装置４ｃに接続される多重化装置３ｃに出力する。多重化装置３ｃは、入力された波長光を端末装置４ｃに送信する。
【０２４０】
ステップ８１７）  端末装置４ａは、管理装置２に対して切断要求を送信する。
【０２４１】
ステップ８１８）  管理装置２は、ネットワーク装置５ａに切断命令を送信する。
【０２４２】
ステップ８１９）  管理装置２は、ネットワーク装置５ｃに切断命令を送信する。
【０２４３】
ステップ８２０）  ネットワーク装置５ａは、端末装置４ａとの接続を切断し、切断完了通知を管理装置２に送信する。
【０２４４】
ステップ８２１）  ネットワーク装置５ｃは、端末装置４ｃとの接続を切断し、切断完了通知を管理装置２に送信する。
【０２４５】
ステップ８２２）  管理装置２は、光クロスコネクト装置１ａに切断命令を送信する。
【０２４６】
ステップ８２３）  管理装置２は、光クロスコネクト装置１ｃに切断命令を送信する。
【０２４７】
ステップ８２４）  光クロスコネクト装置１ａは、ステップ８０９で行った接続を切断する。
【０２４８】
ステップ８２５）  光クロスコネクト装置１ｃは、ステップ８１２で行った接続を切断する。
【０２４９】
ステップ８２６）  光クロスコネクト装置１ａは、切断処理が終了すると、切断完了通知を管理装置２に送信する。
【０２５０】
ステップ８２７）  光クロスコネクト装置１ｃは、切断処理が終了すると、切断完了通知を管理装置２に対して送信する。
【０２５１】
ステップ８２８）  管理装置２は、端末装置４ａに対して切断完了通知を送信する。
【０２５２】
ステップ８２９）  管理装置２は、端末装置４ｃに対して切断完了通知を送信する。
【０２５３】
なお、上記の第５、第６の実施の形態におけるメッシュ型の接続形態では、障害発生時に対応可能な冗長性を持たせることも可能である。この場合は、管理装置２において、トポロジ情報に基づいて方路切替信号を変更することで実現可能である。
【０２５４】
なお、本発明は、上記の実施の形態に限定されることなく、特許請求の範囲内において種々変更・応用が可能である。
【産業上の利用可能性】
【０２５５】
本発明は、光ネットワークのバス型、スター型、リング型、メッシュ型の種々の構成に適用可能である。
【図面の簡単な説明】
【０２５６】
【図１】本発明の原理構成図である。
【図２】本発明の基本的な光クロスコネクト装置の構成図である。
【図３】本発明の基本的な光クロスコネクト装置に適用される波長選択スイッチの構成例（その１）である。
【図４】本発明の基本的な光クロスコネクト装置に適用される波長選択スイッチの構成例（その２）である。
【図５】本発明の第１の実施の形態における光クロスコネクト装置を用いたスター型光ネットワークの構成図である。
【図６】本発明の第１の実施の形態における記憶装置内のトポロジ管理情報データベース例（スター型）である。
【図７】本発明の第１の実施の形態における記憶装置の内の波長を管理するテーブル例（である。
【図８】本発明の第１の実施の形態におけるメッセージの送受信を示すシーケンスチャート（その１）である。
【図９】本発明の第１の実施の形態におけるメッセージの送受信を示すシーケンスチャート（その２）である。
【図１０】本発明の第２の実施の形態における光クロスコネクト装置を用いたスター型光ネットワークの構成図である。
【図１１】本発明の第２の実施の形態におけるメッセージの送受信を示すシーケンスチャート（その１）である。
【図１２】本発明の第２の実施の形態におけるメッセージの送受信を示すシーケンスチャート（その２）である。
【図１３】本発明の第３の実施の形態における光クロスコネクト装置を用いたリング型光ネットワークの構成図である。
【図１４】本発明の第３の実施の形態におけるトポロジ管理情報データベース例（リング型）である。
【図１５】本発明の第３の実施の形態における波長を管理するテーブルの例である。
【図１６】本発明の第３の実施の形態におけるメッセージの送受信を示すシーケンスチャートである。
【図１７】本発明の第４の実施の形態における光クロスコネクト装置を用いたリング型光ネットワークの構成図である。
【図１８】本発明の第４の実施の形態におけるメッセージの送受信を示すシーケンスチャートである。
【図１９】本発明の第５の実施の形態における光クロスコネクト装置を用いたメッシュ型光ネットワークの構成図である。
【図２０】本発明の第５の実施の形態におけるトポロジ管理情報データベース例（メッシュ型）である。
【図２１】本発明の第５の実施の形態におけるメッセージの送受信を示すシーケンスチャートである。
【図２２】本発明の第６の実施の形態における光クロスコネクト装置を用いたメッシュ型光ネットワークの構成図である。
【図２３】本発明の第６の実施の形態におけるメッセージの送受信を示すシーケンスチャートである。
【図２４】従来の光クロスコネクト装置の構成図である。
【図２５】従来の波長選択スイッチの構成図である。
【符号の説明】
【０２５７】
１  光クロスコネクト装置
２  管理装置
３  多重化装置
４  端末装置
５  ネットワーク装置
２１  記憶装置、記憶手段
１００  波長選択スイッチ
１１１  帯域分割フィルタ
１１５  分波器
１１６  合波器
３００  光スイッチ
【図１】
2008259129.tif 000003
【図２】
2008259129.tif 000004
【図３】
2008259129.tif 000005
【図４】
2008259129.tif 000006
【図５】
2008259129.tif 000007
【図６】
2008259129.tif 000008
【図７】
2008259129.tif 000009
【図８】
2008259129.tif 000010
【図９】
2008259129.tif 000011
【図１０】
2008259129.tif 000012
【図１１】
2008259129.tif 000013
【図１２】
2008259129.tif 000014
【図１３】
2008259129.tif 000015
【図１４】
2008259129.tif 000016
【図１５】
2008259129.tif 000017
【図１６】
2008259129.tif 000018
【図１７】
2008259129.tif 000019
【図１８】
2008259129.tif 000020
【図１９】
2008259129.tif 000021
【図２０】
2008259129.tif 000022
【図２１】
2008259129.tif 000023
【図２２】
2008259129.tif 000024
【図２３】
2008259129.tif 000025
【図２４】
2008259129.tif 000026
【図２５】
2008259129.tif 000027